(57)【特許請求の範囲】
【請求項１】
上面に開口し、長手方向に連続した溝を有する左右の桁と、
この各桁の溝内部に、長手方向に間隔を置いて固着して取付けた複数のブラケットと、
この各左右のブラケット間に亘ってそれぞれ固着して取付けた複数の踏板と、
前記各桁に、その溝を閉塞するようにそれぞれ取付けた溝カバーと、
前記溝カバーに、上下の踏板間に位置するように設けた蹴込み板を備え、
前記ブラケットの溝内部の固着部分は前記溝カバーで覆われていることを特徴とする階段。
【請求項２】
長手方向に隣接したブラケット間に第１溝カバーと第２溝カバーを取付けて溝カバーとし、この第１溝カバーと第２溝カバーの一方に取付用ブラケットを固着し、
この取付用ブラケットに蹴込み板を固着した請求項１記載の階段。
【請求項３】
第１溝カバーと第２溝カバーを桁に、その第１溝カバーの上側端面と第２溝カバーの下側端面が接するように取付け、その一方の端面に切欠部を形成し、
取付用ブラケットを一側片と他側片で鉤形状とし、その一側片を第１・第２溝カバーの一方に固着して他側片を切欠部から外方に突出し、その他側片に蹴込み板を固着した請求項２記載の階段。
【請求項４】
蹴込み板が、透明又は半透明である請求項１又は２又は３記載の階段。
【発明の詳細な説明】
【技術分野】
【０００１】
本発明は、住宅などに用い、人が昇降する階段に関する。
【背景技術】
【０００２】
特許文献１に開示された階段が知られている。
この階段は、左右の桁に受け金物を長手方向に間隔を置いて複数取付け、この左右の受け金物に亘って踏板をそれぞれ取付け、上下の踏板間の蹴込み部分に蹴込み板をそれぞれ取付けてある。
この階段であれば、左右の桁を建物躯体に取付けることで設置できるので、オープンリビング階段として利用できる。
【０００３】
【特許文献１】特開平１１−３０３３５１号公報
【発明の開示】
【発明が解決しようとする課題】
【０００４】
前述した従来の階段は、桁に受け金物を固着して取付ける作業、受け金物に踏板を固着して取付ける作業、蹴込み板を桁と踏板に固着して取付ける作業が必要であり、階段を組み立てる作業が面倒で、長時間かかってしまう。
また、桁に受け金物を固着する部分が目視されるから、見栄えが悪い。
【０００５】
本発明の目的は、組み立てる作業が簡単で、短時間に組立できると共に、見栄えの良い階段を提供することを目的とする。
【課題を解決するための手段】
【０００６】
本発明は、上面に開口し、長手方向に連続した溝を有する左右の桁と、
この各桁の溝内部に、長手方向に間隔を置いて固着して取付けた複数のブラケットと、
この各左右のブラケット間に亘ってそれぞれ固着して取付けた複数の踏板と、
前記各桁に、その溝を閉塞するようにそれぞれ取付けた溝カバーと、
前記溝カバーに、上下の踏板間に位置するように設けた蹴込み板を備え、
前記ブラケットの溝内部の固着部分は前記溝カバーで覆われていることを特徴とする階段である。
【０００７】
本発明においては、長手方向に隣接したブラケット間に第１溝カバーと第２溝カバーを取付けて溝カバーとし、この第１溝カバーと第２溝カバーの一方に取付用ブラケットを固着し、
この取付用ブラケットに蹴込み板を固着することができる。
【０００８】
このようにすれば、ブラケット間の溝を第１・第２溝カバーで閉塞できると共に、第１・第２溝カバーを順次取付けできるから、溝カバーの取付け作業が容易である。
また、溝カバーを取付けした後に取付用ブラケットに蹴込み板を固着して取付けるので、その取付け作業がより一層簡単である。
【０００９】
本発明においては、前述の第１溝カバーと第２溝カバーを桁に、その第１溝カバーの上側端面と第２溝カバーの下側端面が接するように取付け、その一方の端面に切欠部を形成し、
取付用ブラケットを一側片と他側片で鉤形状とし、その一側片を第１・第２溝カバーの一方に固着して他側片を切欠部から外方に突出し、その他側片に蹴込み板を固着することができる。
【００１０】
このようにすれば、第１溝カバーと第２溝カバーの接する部分に隙間が生じないから見栄えが良い。
また、取付用ブラケットの一側片と他側片のなす角度を桁の取付け角度に応じて変えることで蹴込み板を踏板と直角にできる。
【００１１】
本発明においては、蹴込み板を透明、又は半透明とすることができる。
【００１２】
このようにすれば、採光により階段裏側を明るくすることができる。
【発明の効果】
【００１３】
本発明によれば、桁に取付けた溝カバーを利用して蹴込み板を取付けるので、その蹴込み板の取付けが簡単となるから、階段の組み立てる作業が簡単で、短時間に組み立てできる。
また、ブラケットの桁固着部分は溝内部で、溝カバーで覆われているから見えることがなく、見栄えの良い階段である。
【発明を実施するための最良の形態】
【００１４】
図１と図２に示すように、階段は左右の桁１と、この各桁１に長手方向に間隔を置いてそれぞれ取付けた複数のブラケット２と、その左右のブラケット２に亘って取付けた複数の踏板３と、上下の踏板３間の蹴込み部分に設けた蹴込み板４を備えている。
前記桁１は図３と図４に示すように、上面１ａに開口した溝１０が長手方向全長に亘って連続して有する。
この溝１０は上面１ａに開口した第１溝１１と、この第１溝１１の底部に開口した第２溝１２を備えている。その第１溝１１の左右の縦内面１１ａ，１１ａに係止受部１３が形成してある。前記第２溝１２はあり溝形状である。
前記桁１は下部中空部１４を有し、この下部中空部１４にブラケットを嵌合して固着し、そのブラケットを建物躯体に固着することで図２に示すように桁１を斜めに取付ける。
【００１５】
前記ブラケット２は図３と図４に示すように本体部２０と、この本体部２０の上部に一体的に設けた踏板取付部２１と、前記本体部２０の下部に一体的に設けた桁取付部２２を備えている。
前記踏板取付部２１が踏板３の裏面に固着具２３で固着して取付けられる。
前記桁取付部２２が桁１の溝１０内部に固着手段２４で固着して取付けられる。この固着手段２４は、前記第２溝１２内に挿入された裏板２４ａと、この裏板２４ａに固着したボルト２４ｂと、補強プレート２４ｃと、ナット２４ｄを備え、ボルト２４ｂが桁取付部２２のスリット溝、補強プレート２４ｃのスリット溝を挿通し、ナット２４ｄを螺合することで溝１０の内部に固着される。なお、本体部２０の下方寄りがビス２５で桁１に固着してある。
前記桁取付部２２と固着手段２４は溝１０内に収納され、桁１の上面１ａよりも上方に突出していない。
【００１６】
前記本体部２０の左右方向の寸法（幅）は溝１０（第１溝１１）の左右開口幅と略同一で、本体部２０は桁１の上面１ａよりも上方に突出する。
そして、ブラケット２の踏板取付部２１に踏板３の裏面が固着具２３で固着して取付けられる。
なお、踏板３の奥側は桁１の上面１ａよりも奥側に突出して取付けられるので、踏板３の桁１と対向した部分を切欠きし、その切欠部３ａが桁１に嵌まり合うようにしてある。
【００１７】
前記桁１には、その溝１０を閉塞する溝カバー５が、押し込むことで係合して外れないように取付けてある。つまり、溝カバー５を溝１０（第１溝１１）に強い力で押し込むことで弾性変形し、その復元力で係合して外れないように取付けできる。
例えば、溝カバー５は上面板５０と、この上面板５０の幅方向両側に下向きに一体的に設けた一対の係止片５１でほぼ下向コ字形状の長尺材で、その一対の係止片５１を溝１０の内面（第１溝１１の縦内面１１ａ）に沿って押し込むことで弾性変形し、所定の位置まで押し込むと弾性復元力で係止受部１３に係止して外れないように取付けできる。
前述の溝カバー５は隣接したブラケット２間に亘って取付けられ、その溝１０を閉塞して見栄えを良くすると共に、溝１０内にゴミ等が入り込むことがないようにしてある。
前記ブラケット２の桁取付部２２と固着手段２４は溝カバー５で覆われ、外部から見えないので見栄えが良い。
なお、最下部と最上部には最下部溝カバー５ｃ、最上部溝カバー５ｄが取付けてある。
【００１８】
この溝カバー５に蹴込み板４が取付けてある。
例えば、溝カバー５を第１溝カバー５ａと第２溝カバー５ｂより構成し、その第１溝カバー５ａが下で、第２溝カバー５ｂが上となると共に、第１溝カバー５ａの上側端面と第２溝カバー５ｂの下側端面が接して隣接したブラケット２間に取付ける。
前記第１溝カバー５ａに取付用ブラケット５２を固着する。例えば、図４と図５に示すように、取付用ブラケット５２を一側片５２ａと他側片５２ｂで鉤形状とし、その一側片５２ａを第１溝カバー５ａの上面板５０の裏面に接着剤、両面接着テープなどで固着し、他側片５２ｂを上面板５０よりも上方に突出するようにする。
この状態で第１溝カバー５ａを桁１の溝１０内に押し込んで取付けることで他側片５２ｂが踏板３と直角で、かつ踏板３よりも上方に突出する。その第１溝カバー５ａを溝１０に沿って下方にスライドしてブラケット２（本体部２０）に当接して第１溝カバー５ａを所定位置とする。
この後に、前述の第２溝カバー５ｂを取付ける。
なお、第１溝カバー５ａを短く、第２溝カバー５ｂを長くすることで、前述の第１・第２溝カバー５ａ，５ｂの取付け作業がやり易くなる。
【００１９】
また、図５に示すように第１溝カバー５ａの上面板５０の上側端面５０ａ（第１溝カバー５ａの上側端面）には取付用ブラケット５２の他側片５２ｂが嵌まり合う切欠部５０ｂが形成してあり、その上面板５０の上側端面５０ａの残りの両側部分が上の第２溝カバー５ｂの上面板５０の下側端面（第２溝カバーの下側端面）に接するようにしてある。
これによって、第１溝カバー５ａの上面板５０（上側端面）と第２溝カバー５ｂの上面板５０（下側端面）とが隙間なく接触する。
【００２０】
前述のように、第１・第２溝カバー５ａ，５ｂを取付けた後に、取付用ブラケット５の他側片５２ｂに蹴込み板４を固着具５３で固着して取付ける。
このようにすることで、下の踏板３の奥側と上の踏板３の手前側との間（つまり、蹴込み部分）に蹴込み板４を正しく取付けできる。
例えば、蹴込み板４を踏板３と直角に取付けできる。
【００２１】
なお、桁１の取付角度（水平に対する角度）が異なる場合には、取付用ブラケット５２の一側片５２ａと他側片５２ｂのなす角度を変えることで踏板３と直角にできる。この場合にはブラケット２は、その踏板取付部２１の水平となす角度が異なるものを用いることは勿論である。
【００２２】
前記取付用ブラケット５２は第２溝カバー５ｂに固着しても良い。例えば、第２溝カバー５ｂの上面板５０の裏面に一側片５２ａを固着して他側片５２ｂを上面板５０よりも上方に突出する。
この場合には、第２溝カバー５ｂの上面板５０の下側端面（第２溝カバー５ｂの下側端面）に切欠部を形成する。
また、前記取付用ブラケット５２は、第１溝カバー５ａの上面板５０又は第２溝カバー５ｂの上面板５０と一体的に設けても良いし、蹴込み板４に一体的に設けても良い。
【００２３】
前記蹴込み板４を透明又は半透明とすれば、採光により階段裏側が明るくすることができる。例えば、蹴込み板４をアクリル樹脂製などの光が透る材料によって作製し、透明又は半透明とする。
このようにすれば、オープンリビング階段として好ましい。
【図面の簡単な説明】
【００２４】
【図１】本発明の実施の形態を示す階段の正面図である。
【図２】本発明の実施の形態を示す階段の側面図である。
【図３】図２のＡ−Ａ拡大断面図である。
【図４】図２のＢ部拡大一部破断側面図である。
【図５】溝カバーと取付用ブラケットと蹴込み板の分解斜視図である。
【符号の説明】
【００２５】
１…桁、１ａ…上面、２…ブラケット、３…踏板、４…蹴込み板、５…溝カバー、５ａ…第１溝カバー、５ｂ…第２溝カバー、１０…溝、１３…係止受部、２０…本体部、２１…踏板取付部、２２…桁取付部、２３…固着具、２４…固着手段、５０…上面板、５１…係止片、５２…取付用ブラケット、５２ａ…一側片、５２ｂ…他側片、５３…固着具。
【図１】
0004562039.tif 000002
【図２】
0004562039.tif 000003
【図３】
0004562039.tif 000004
【図４】
0004562039.tif 000005
【図５】
0004562039.tif 000006